(57)【要約】【課題】二次元コードを用いたチケットの利便性を向上させることができる入出場処理装置、発券機、入出場処理方法、発券方法、およびプログラムを提供すること。【解決手段】実施形態の入出場処理装置は、光学式リーダと、リーダライタと、処理部とを持つ。光学式リーダは、チケットの二次元コードにエンコードされた情報を光学的に読み取る。リーダライタは、前記チケットに搭載されている電子タグと通信して、前記電子タグに書き込まれている情報の読み取りあるいは書き込みを行う。処理部は、第１チケットの二次元コードから前記光学式リーダにより読み取られた前記第１チケットの識別情報と、前記第１チケットの電子タグから前記リーダライタにより読み取られた第２チケットの識別情報とに基づいて、前記第１チケットおよび前記第２チケットについての入出場処理を実行する。【選択図】図２
2020008895.tif 000002
【特許請求の範囲】
【請求項１】
チケットの二次元コードにエンコードされた情報を光学的に読み取る光学式リーダと、
前記チケットに搭載されている電子タグと通信して、前記電子タグに書き込まれている情報の読み取りあるいは書き込みを行うリーダライタと、
第１チケットの二次元コードから前記光学式リーダにより読み取られた前記第１チケットの識別情報と、前記第１チケットの電子タグから前記リーダライタにより読み取られた第２チケットの識別情報とに基づいて、前記第１チケットおよび前記第２チケットについての入出場処理を実行する処理部と、
を備える入出場処理装置。
【請求項２】
前記処理部は、
前記光学式リーダにより前記第１チケットの二次元コードから読み取られた前記第１チケットの識別情報に基づいて、前記第１チケットの識別情報と対応付けられた前記第１チケットの電子タグにアクセスした後、前記リーダライタにより前記第１チケットの電子タグから読み取られた前記第２チケットの識別情報に基づいて、前記第２チケットの識別情報と対応付けられた前記第２チケットの電子タグにアクセスする、
請求項１に記載の入出場処理装置。
【請求項３】
チケットの二次元コードにエンコードされた情報を光学的に読み取る光学式リーダと、
前記チケットに搭載されている電子タグと通信して、前記電子タグに書き込まれている情報の読み取りあるいは書き込みを行うリーダライタと、
第１チケットの二次元コードから前記光学式リーダにより読み取られた前記第１チケットの識別情報と第２チケットの識別情報とに基づいて、前記第１チケットおよび前記第２チケットについての入出場処理を実行する処理部と、
を備える入出場処理装置。
【請求項４】
前記処理部は、
前記光学式リーダにより前記第１チケットの二次元コードから読み取られた前記第１チケットの識別情報に基づいて、前記第１チケットの識別情報と対応付けられた前記第１チケットの電子タグにアクセスするとともに、前記光学式リーダにより前記第１チケットの二次元コードから読み取られた前記第２チケットの識別情報に基づいて、前記第２チケットの識別情報と対応付けられた前記第２チケットの電子タグにアクセスする、
請求項３に記載の入出場処理装置。
【請求項５】
チケットの二次元コードにエンコードされた情報を光学的に読み取る光学式リーダと、
前記チケットに搭載されている電子タグと通信して、前記電子タグに書き込まれている情報の読み取りあるいは書き込みを行うリーダライタと、
第１チケットの二次元コードから前記光学式リーダにより読み取られた第２チケットの識別情報、あるいは、前記第１チケットの電子タグから前記リーダライタにより読み取られた前記第２チケットの識別情報と、前記第１チケットの二次元コードから前記光学式リーダにより読み取られた前記第１チケットの識別情報とに基づいて、前記第１チケットおよび前記第２チケットについての入出場処理を実行する処理部と、
を備える入出場処理装置。
【請求項６】
前記処理部は、
前記第１チケットの二次元コードから前記光学式リーダにより読み取られた情報に前記チケットを識別する識別情報が二つ以上含まれる場合、前記光学式リーダにより前記第１チケットの二次元コードから読み取られた前記第１チケットの識別情報に基づいて、前記第１チケットの識別情報と対応付けられた前記第１チケットの電子タグにアクセスするとともに、前記光学式リーダにより前記第１チケットの二次元コードから読み取られた前記第２チケットの識別情報に基づいて、前記第２チケットの識別情報と対応付けられた前記第２チケットの電子タグにアクセスし、
前記第１チケットの二次元コードから前記光学式リーダにより読み取られた情報に前記チケットを識別する識別情報が一つしか含まれない場合、前記光学式リーダにより前記第１チケットの二次元コードから読み取られた前記第１チケットの識別情報に基づいて、前記第１チケットの識別情報と対応付けられた前記第１チケットの電子タグにアクセスした後、前記リーダライタにより前記第１チケットの電子タグから読み取られた前記第２チケットの識別情報に基づいて、前記第２チケットの識別情報と対応付けられた前記第２チケットの電子タグにアクセスする、
請求項５に記載の入出場処理装置。
【請求項７】
前記処理部は、
前記第１チケットの識別情報と対応付けられた電子タグから読み取られた前記第１チケットの効力情報と、前記第２チケットの識別情報と対応付けられた電子タグから読み取られた前記第２チケットの効力情報とに基づいて、入出場処理を実行する、
請求項１から６のうちいずれか一項に記載の入出場処理装置。
【請求項８】
前記処理部は、
前記第１チケットの二次元コードから読み取られた前記第１チケットの効力情報と、前記第２チケットの識別情報と対応付けられた電子タグから読み取られた前記第２チケットの効力情報とに基づいて、入出場処理を実行する、
請求項１から７のうちいずれか一項に記載の入出場処理装置。
【請求項９】
前記処理部は、
前記リーダライタを制御して、前記入出場処理の結果を、前記第１チケットの電子タグあるいは前記第２チケットの電子タグのうち少なくとも一方に書き込ませる、
請求項１から８のうちいずれか一項に記載の入出場処理装置。
【請求項１０】
前記処理部は、
前記光学式リーダにより前記二次元コードから読み取られた前記チケットを識別する識別情報に基づいて、前記識別情報と対応付けられた前記電子タグから効力情報を読み出し、読み出した効力情報に基づいて前記入出場処理を実行する、
請求項１から９のうちいずれか一項に記載の入出場処理装置。
【請求項１１】
既に発券されている第１チケットが投入される投入口と、
未だ発券されていない第２チケットが収容されている収容ボックスと、
前記投入口から投入された前記第１チケットの二次元コードから読み取られた前記第１チケットの識別情報を前記第２チケットの電子タグに書き込むと共に、前記第２チケットの識別情報を生成して前記第１チケットの電子タグに書き込む発券部と、
を備える発券機。
【請求項１２】
コンピュータが、
第１チケットの二次元コードから光学的に読み取られた前記第１チケットの識別情報と、前記第１チケットの電子タグと通信することにより読み取られた第２チケットの識別情報とに基づいて、前記第１チケットおよび前記第２チケットについての入出場処理を実行する、
入出場処理方法。
【請求項１３】
コンピュータが、
第１チケットの二次元コードから光学的に読み取られた前記第１チケットの識別情報と第２チケットの識別情報とに基づいて、前記第１チケットおよび前記第２チケットについての入出場処理を実行する、
入出場処理方法。
【請求項１４】
コンピュータが、
第１チケットの二次元コードから光学的に読み取られた第２チケットの識別情報、あるいは、前記第１チケットの電子タグと通信することにより読み取られた前記第２チケットの識別情報と、前記第１チケットの二次元コードから光学的に読み取られた前記第１チケットの識別情報とに基づいて、前記第１チケットおよび前記第２チケットについての入出場処理を実行する、
入出場処理方法。
【請求項１５】
コンピュータが、
投入口から投入された第１チケットの二次元コードから読み取られた前記第１チケットの識別情報を、未だ発券されていない第２チケットの電子タグに書き込み、
前記第２チケットの識別情報を生成して前記第１チケットの電子タグに書き込む、
発券方法。
【請求項１６】
コンピュータに、
第１チケットの二次元コードから光学的に読み取られた前記第１チケットの識別情報と、前記第１チケットの電子タグと通信することにより読み取られた第２チケットの識別情報とに基づいて、前記第１チケットおよび前記第２チケットについての入出場処理を実行させる、
プログラム。
【請求項１７】
コンピュータに、
第１チケットの二次元コードから光学的に読み取られた前記第１チケットの識別情報と第２チケットの識別情報とに基づいて、前記第１チケットおよび前記第２チケットについての入出場処理を実行させる、
プログラム。
【請求項１８】
コンピュータに、
第１チケットの二次元コードから光学的に読み取られた第２チケットの識別情報、あるいは、前記第１チケットの電子タグと通信することにより読み取られた前記第２チケットの識別情報と、前記第１チケットの二次元コードから光学的に読み取られた前記第１チケットの識別情報とに基づいて、前記第１チケットおよび前記第２チケットについての入出場処理を実行させる、
プログラム。
【請求項１９】
コンピュータに、
投入口から投入された第１チケットの二次元コードから読み取られた前記第１チケットの識別情報を、未だ発券されていない第２チケットの電子タグに書き込ませ、
前記第２チケットの識別情報を生成して前記第１チケットの電子タグに書き込ませる、
プログラム。
【発明の詳細な説明】
【技術分野】
【０００１】
本発明の実施形態は、入出場処理装置、発券機、入出場処理方法、発券方法、およびプログラムに関する。
【背景技術】
【０００２】
従来より、磁気券と二次元コード券との両方を処理可能な改札機が知られている。磁気券が用いられる場合、例えば入場した駅の改札機において入場駅を示す情報が磁気券に記録され、出場時に磁気券に記録されている乗車券の効力情報と入場駅とが読み出され、出場の可否が判定される。また、二次元コード券が用いられる場合、乗車券の効力情報がエンコードされた二次元コードが改札機により読み取られ、入出場の可否が判定される。しかしながら、二次元コード券には入場駅などを記録できないため、利用シーンが磁気券に比べて制限される場合があった。
【先行技術文献】
【特許文献】
【０００３】
【特許文献１】特開２０１７−１６２１０７号公報
【発明の概要】
【発明が解決しようとする課題】
【０００４】
本発明が解決しようとする課題は、二次元コードを用いたチケットの利便性を向上させることができる入出場処理装置、発券機、入出場処理方法、発券方法、およびプログラムを提供することである。
【課題を解決するための手段】
【０００５】
実施形態の入出場処理装置は、光学式リーダと、リーダライタと、処理部とを持つ。光学式リーダは、チケットの二次元コードにエンコードされた情報を光学的に読み取る。リーダライタは、前記チケットに搭載されている電子タグと通信して、前記電子タグに書き込まれている情報の読み取りあるいは書き込みを行う。処理部は、第１チケットの二次元コードから前記光学式リーダにより読み取られた前記第１チケットの識別情報と、前記第１チケットの電子タグから前記リーダライタにより読み取られた第２チケットの識別情報とに基づいて、前記第１チケットおよび前記第２チケットについての入出場処理を実行する。
【図面の簡単な説明】
【０００６】
【図１】第１実施形態の発券機１００の構成の一例を示す図。
【図２】第１実施形態の入出場処理装置２００の構成の一例を示す図。
【図３】第１チケットの一例について説明するための参考図。
【図４】第２チケットの一例について説明するための参考図。
【図５】第１チケットＪ１と第２チケットＪ２に対応づけられる情報の組み合わせの一例を説明するための参考図。
【図６】第１実施形態の入出場処理装置２００による処理の一例を示すシーケンス図。
【図７】第１実施形態に係るＥＰＣコードの取得方法（その１）を説明するための参考図。
【図８】第１実施形態の発券機１００による処理の一例を示すフローチャート。
【図９】第１実施形態の入出場処理装置２００による処理の一例を示すフローチャート。
【図１０】第２実施形態に係るＥＰＣコードの取得方法（その２）を説明するための参考図。
【図１１】第２実施形態の発券機１００による処理の一例を示すフローチャート。
【図１２】第２実施形態の入出場処理装置２００による処理の一例を示すフローチャート。
【図１３】第３実施形態に係るＥＰＣコードの取得方法（その３）の一例を説明するための参考図。
【図１４】第３実施形態の発券機１００による処理の一例を示すフローチャート。
【図１５】第３実施形態の入出場処理装置２００による処理の一例を示すフローチャート。
【発明を実施するための形態】
【０００７】
以下、実施形態の入出場処理装置、発券機、入出場処理方法、発券方法、およびプログラムを、図面を参照して説明する。以下では、実施形態の入出場処理装置や発券機が鉄道の駅に設置され、これらが鉄道を利用するための乗車券（普通乗車券や特急券などを含む）を取り扱う例について説明する。なお、入出場処理装置および発券機はこれに限られず、遊園地等の入場券を取り扱うものであってもよく、映画館のチケットやクーポン券等を取り扱うものであってもよい。また、以下に説明する入出場処理装置は、二枚の乗車券を併用した入出場処理を実行する。例えば、一枚が普通乗車券で、もう一枚が特急券等であるものとする。
【０００８】
［第１実施形態］
図１は、第１実施形態の発券機１００の構成の一例を示す図である。本実施形態の発券機１００は、一枚の乗車券（以下、第１チケット）が既に発券されており、この第１チケットと併用して利用されるもう一枚の乗車券（以下、第２チケット）を発券するとともに、第２チケットと併用して利用するための処理を第１チケットに対して施す。
【０００９】
発券機１００は、例えば、操作部１１０と、チケット排出部１２０と、チケット投入部１２２と、通信部１３０と、搬送ベルト１４０と、乗車券ボックス１４２と、駆動部１５０と、読取部１５２と、印刷部１５４と、撮像部１５６と、書込部１５８と、発券部１７０とを備える。なお、発券機１００は、これら以外にも、例えば、現金の投入口、非接触ＩＣカードの投入口または非接触ＩＣカードのリーダライタ面、投入された現金または非接触ＩＣカードにチャージされている電子マネーでチケット代金を精算するための精算部などを備えてよいが、これらについての詳細な説明は省略する。
【００１０】
操作部１１０は、例えば、タッチパネル、操作ボタンなどを含む。操作部１１０は、利用者から受け付けた操作内容を示す情報を発券部１７０に出力する。また操作部１１０は、発券部１７０による処理結果を示す情報を表示する。
【００１１】
チケット排出部１２０は、発券機１００により発券された乗車券を搬送ベルト１４０から受け取り、外部に排出する。チケット投入部１２２は、外部から投入された乗車券を搬送ベルト１４０に受け渡す。例えば、既に発券された乗車券に所定情報を印刷したり、既に発券された乗車券の電子タグに所定情報を書き込んだりする場合、対象である乗車券がチケット投入部１２２から投入される。
【００１２】
通信部１３０は、例えば、ＮＩＣなどの通信インターフェースを含む。通信部１３０は、ネットワークＮＷを介して、各駅に設置される駅務機器や、電車運行会社により管理される管理サーバ等に接続する。ネットワークＮＷは、例えば、ＷＡＮ（Wide Area Network）やＬＡＮ（Local Area Network）、インターネット、専用回線、無線基地局、プロバイダなどのうちの一部または全部を含む。
【００１３】
搬送ベルト１４０は、順方向１４０ａに回転されている状態において、乗車券ボックス１４２から取り出された乗車券を受け取り、搬送する。なお、搬送ベルト１４０は、逆回転され、逆方向１４０ｂに乗車券を搬送してもよい。搬送ベルト１４０の動きは、駆動部１５０により制御される。搬送ベルト１４０の各所には、読取部１５２、印刷部１５４、撮像部１５６、および書込部１５８との位置関係に応じて、それぞれ、読取位置Ｐ１、印刷位置Ｐ２、撮像位置Ｐ３、および書込位置Ｐ４とが予め設定されている。
【００１４】
乗車券ボックス１４２は、乗車券の原紙を複数収容する。乗車券の原紙は、例えば、内部に電子タグが埋め込まれており、少なくとも一方の面が二次元コード等を印刷可能な材質で構成されている。
【００１５】
駆動部１５０は、乗車券ボックス１４２と機械的に接続されており、乗車券ボックス１４２から乗車券を取り出して搬送ベルト１４０に引き渡す。また駆動部１５０は、搬送ベルト１４０と機械的に接続されており、搬送ベルト１４０を順方向１４０ａあるいは逆方向１４０ｂに回転させる。なお、駆動部１５０は、読取部１５２、印刷部１５４、撮像部１５６、および書込部１５８にそれぞれ搭載されている検出部により、読取位置Ｐ１、印刷位置Ｐ２、撮像位置Ｐ３、書込位置Ｐ４などに乗車券が到達したことが検出された場合、搬送ベルト１４０を一旦停止させてもよい。
【００１６】
発券機１００は、新規発券処理と、追加発券処理とを実行する。新規発券処理とは、乗車券ボックス１４２に収容されている乗車券の原紙を用いて、乗車券（上述の第２チケットに相当）を発券する処理である。追加発券処理は、チケット投入部１２２から投入された乗車券（上述の第１チケットに相当）であって、既に発券されている乗車券に対して実行される処理である。追加発券処理には、例えば、所定情報を印刷する処理や、所定情報を電子タグに書き込む処理等が含まれる。
【００１７】
ここで、駆動部１５０により駆動された搬送ベルト１４０の動きと乗車券の流れの一例について説明する。最初に、新規発券処理について説明する。例えば、発券部１７０は、搬送ベルト１４０を順方向１４０ａに回転させ、乗車券ボックス１４２から取り出された乗車券を順方向１４０ａに搬送させる。そして、印刷部１５４が搬送されている乗車券に二次元コードを印刷する。発券部１７０は、例えば撮像部１５６が撮像した二次元コードの画像データに基づいて、乗車券の有効性を判定する。乗車券が有効でないと判定された場合、発券部１７０は、所定の廃札処理を実行した後、乗車券を廃札ボックスへ排出させる。一方、発券部１７０により乗車券が有効であると判定された場合、発券部１７０は、発券した乗車券をチケット排出部１２０から排出させる。
【００１８】
次に、追加発券処理について説明する。例えば、発券部１７０は、搬送ベルト１４０を逆方向１４０ｂに回転させ、チケット投入部１２２から投入された乗車券を読取位置Ｐ１まで搬送させる。次いで、発券部１７０は、搬送ベルト１４０を順方向１４０ａに回転させ、読取位置Ｐ１で電子タグから所定情報が読み取られた乗車券を順方向１４０ａに搬送し、チケット排出部１２０から外に排出させる。ここで、発券部１７０は、順方向１４０ａに搬送される乗車券に対して、二次元コード等を印刷したり、電子タグに情報を書き込んだりしてもよい。
【００１９】
読取部１５２は、読取位置Ｐ１に到達した乗車券に埋めこまれている電子タグから情報を読み取り、読み取った情報を発券部１７０に出力する。
【００２０】
印刷部１５４は、乗車券の表面の所定位置に、乗車券の識別情報がエンコードされた二次元コードを印刷する。乗車券の識別情報は、各乗車券を識別するための情報であって、例えば、発券部１７０により割り振られる情報である。乗車券の識別情報には、例えば、ＥＰＣ（Electronic Product Code）コードが含まれる。ＥＰＣコードは、電子タグに書き込むための識別コードである。以下、乗車券の識別情報が、ＥＰＣコードである例について説明する。
【００２１】
また印刷部１５４は、効力情報がエンコードされた二次元コードを印刷してもよい。効力情報は、乗車券の効力を示す情報であって、例えば、出発駅や行き先の駅に関する情報、運賃、日時、利用者の属性（大人／子供）などを示す情報が含まれる。なお、印刷部１５４は、二次元コードに加えて、ＥＰＣコードや効力情報を示す情報を、文字や数字を用いて、二次元コードと異なる位置に印刷してもよい。印刷部１５４は、例えば、サーマルヘッドを備えるラインプリンタである。
【００２２】
撮像部１５６は、撮像位置Ｐ３に搬送された乗車券の二次元コードを撮像し、撮像により得られた画像データを発券部１７０に出力する。
【００２３】
書込部１５８は、書込位置Ｐ４に到達した乗車券に埋め込まれている電子タグに対して、ＥＰＣコードや効力情報などを書き込む。
【００２４】
発券部１７０は、例えば、操作部１１０、通信部１３０、駆動部１５０、読取部１５２、印刷部１５４、撮像部１５６、および書込部１５８と接続されている。発券部１７０は、駆動部１５０、読取部１５２、印刷部１５４、撮像部１５６、および書込部１５８をそれぞれ制御する。発券部１７０は、例えば、ＣＰＵ（Central Processing Unit）などのプロセッサが、記憶部１７２に記憶されたプログラム（ソフトウェア）を実行することで実現される。また、これらの構成要素の機能のうち一部または全部は、ＬＳＩ、ＡＳＩＣ、ＦＰＧＡ等のハードウェア（回路部：circuitryを含む）によって実現されていてもよいし、ソフトウェアとハードウェアの協働によって実現されていてもよい。
【００２５】
発券部１７０は、通信部１３０を用いて、駅務機器などより送信される情報を受信し、受信した情報を記憶部１７２に格納させる。記憶部１７２には、例えば、指定された出発駅から行き先の駅までの運賃を計算するための情報、各駅に割り当てられた識別情報、ＥＰＣコードを生成するための情報などが格納される。また発券部１７０は、利用者により行き先の駅等が指定され、乗車券の発券が利用者により指示された場合、記憶部１７２を参照して、指定された情報に基づいて効力情報を生成する。また発券部１７０は、記憶部１７２に格納されている情報に基づいて、ＥＰＣコードを生成する。また発券部１７０は、読取部１５２、印刷部１５４、撮像部１５６および書込部１５８のそれぞれに取り付けられているセンサからの検出結果に基づいて、搬送ベルト１４０により搬送されている乗車券が、読取位置Ｐ１、印刷位置Ｐ２、撮像位置Ｐ３、あるいは書込位置Ｐ４などに到達したか否かを判定する。
【００２６】
［入出場処理装置］
図２は、第１実施形態の入出場処理装置２００の構成の一例を示す図である。入出場処理装置２００には、乗車券読取窓２０２と、ＩＣカード読取窓２０４とが設けられている。乗車券読取窓２０２は、利用者が乗車券を翳す部分である。ＩＣカード読取窓２０４は、利用者が非接触ＩＣカードを翳す部分である。
【００２７】
入出場処理装置２００は、光学式リーダ２１０と、リーダライタ２１２と、出力部２１４と、読取制御部２１６と、ＩＣカード通信制御部２２０と、各種デバイス制御部２３０と、主制御部２４０とを備える。入出場処理装置２００は、例えば自動改札機である。なお、入出場処理装置２００は、これ以外にも、例えば、利用者の通行を遮る扉などの規制材を駆動するアクチュエータなどの各種デバイスなどを備えてよいが、これらについての詳細な説明は省略する。
【００２８】
光学式リーダ２１０は、乗車券読取窓２０２に翳された乗車券の二次元コードにエンコードされた情報を光学的に読み取る。例えば、光学式リーダ２１０は、接近センサと、照明と、撮像部とを備える。接近センサにより物体が近くにあることが検知された場合、光学式リーダ２１０は、照明をオンして物体に光を照射させた後、物体を撮像する。光学式リーダ２１０は、撮像により得られた画像データを解析し、エンコードされた情報をデコードして電子情報に変換し、読取制御部２１６に出力する。
【００２９】
リーダライタ２１２は、乗車券読取窓２０２に翳された乗車券に搭載されている電子タグと通信して、電子タグに書き込まれている情報の読み取り処理、および、電子タグに所定の情報を書き込む書き込み処理などを実行する。
【００３０】
出力部２１４は、例えば、表示部やスピーカー等を含む。
【００３１】
読取制御部２１６は、光学式リーダ２１０と、リーダライタ２１２と、出力部２１４と接続され、各構成を制御する。また読取制御部２１６は、リーダライタ２１２により読み取られた電子情報を、主制御部２４０に出力する。主制御部２４０から出力情報が入力された場合、読取制御部２１６は、入力された出力情報に基づいて、所定の音声をスピーカーから出力させる。
【００３２】
ＩＣカード通信制御部２２０は、ＩＣカード読取窓２０４に翳された非接触ＩＣカードと通信し、非接触ＩＣカードに書き込まれている情報の読み取り処理、および、非接触ＩＣカードに所定の情報を書き込む書き込み処理などを実行する。
【００３３】
各種デバイス制御部２３０は、入出場処理装置２００に搭載されている各種デバイスを制御する。
【００３４】
主制御部２４０は、入出場処理部２４２と、記憶部２４４とを備える。入出場処理部２４２は、例えば、ＣＰＵなどのプロセッサが、記憶部２４４に記憶されたプログラム（ソフトウェア）を実行することで実現される。また、これらの構成要素の機能のうち一部または全部は、ＬＳＩ、ＡＳＩＣ、ＦＰＧＡ等のハードウェア（回路部：circuitryを含む）によって実現されていてもよいし、ソフトウェアとハードウェアの協働によって実現されていてもよい。
【００３５】
入出場処理部２４２は、乗車券から読み取った第１チケットのＥＰＣコードおよび第２チケットのＥＰＣコードに基づいて、第１チケットと第２チケットとを併用した入出場処理を実行する。例えば、入出場処理部２４２は、第１チケットのＥＰＣコードを用いて第１チケットの電子タグにアクセスし、電子タグに格納されている効力情報等を取得する。また、入出場処理部２４２は、第２チケットのＥＰＣコードを用いて第２チケットの電子タグにアクセスし、電子タグに格納されている効力情報等を取得する。入出場処理部２４２は、取得した第１チケットの効力情報等および第２チケットの効力情報等に基づいて、入出場の可否を判定する。入出場を許可すると判定した場合、入出場処理部２４２は、規制材の開動作を各種デバイス制御部２３０に指示して、通行を許可する。また入出場処理部２４２は、入場（あるいは出場）が許可された場合に、入場（あるいは出場）した駅を利用したことを示す情報（以下、利用情報と記す）を生成し、乗車券の電子タグに書き込ませる。一方、入出場を許可しないと判定した場合、入出場処理部２４２は、規制材の閉動作を各種デバイス制御部２３０に指示して、通行を制限する。また、入出場処理部２４２は、入出場処理による結果に基づいて出力情報を生成し、読取制御部２１６や出力部２１４に出力する。出力部２１４は、出力情報に基づいて、所定の画面を表示部に表示させる。
【００３６】
例えば、第１チケットが普通乗車券であって、第２チケットが特急券である場合、入出場処理部２４２は、第１チケットの効力情報と第２チケットの効力情報の両方に基づいて入場の可否を判定すると共に、さらに第１チケットの利用情報を用いて出場の可否を判定する。
【００３７】
図３は、第１チケットの一例について説明するための参考図である。図示の第１チケットＪ１は、二次元コードＣ１と、電子タグＴ１とを備える。図４は、第２チケットの一例について説明するための参考図である。図示の第２チケットＪ２は、二次元コードＣ２と、電子タグＴ２とを備える。電子タグは、第１チケットＪ１のように、二次元コードと重複するように配置されてもよく、第２チケットＪ２のように、二次元コードと重複しないように配置されてもよい。なお、第１チケットＪ１と第２チケットＪ２は、図３，４のように電子タグが異なる形状であるものに限られず、同一のものであってもよい。図３，４に示すように、二次元コードの近くに電子タグを配置することにより、利用者の手で電子タグが隠されることを防止することができる。
【００３８】
図５は、第１チケットＪ１と第２チケットＪ２に対応づけられる情報の組み合わせの一例を説明するための参考図である。各チケットに対応づけられる情報の組み合わせは、以下に説明するいずれの組み合わせであってもよい。また、利用情報は必要な場合に対応づけられればよく、何れか一方のチケットに対応づけられるものであってもよい。図５には、両チケットに利用情報が対応づけられる例について説明する。
【００３９】
例えば、図５（ａ）に示す通り、第１チケットＪ１の効力情報と利用情報は、電子タグＴ１に格納される。第２チケットＪ２の効力情報と利用情報は、電子タグＴ２に格納される。以下、第１チケットＪ１と第２チケットＪ２とが、図５（ａ）に示す情報の組み合わせを採用している例について説明する。
【００４０】
図５（ｂ）に示す例では、第１チケットＪ１の効力情報は、エンコードされて二次元コードＣ１に書き込まれ、第１チケットＪ１についての利用情報は、電子タグＴ１に格納される。第２チケットＪ２の効力情報および利用情報は、電子タグＴ２に格納される。図５（ｃ）に示す例では、第１チケットＪ１の効力情報は、エンコードされて二次元コードＣ１に書き込まれるとともに、電子タグＴ１に格納される。第１チケットＪ１についての利用情報は、電子タグＴ１に格納される。第２チケットＪ２の効力情報と利用情報は、電子タグＴ２に格納される。
【００４１】
なお図示を省略するが、第２チケットＪ２についても、図５（ｂ）（ｃ）を参照して説明したように、効力情報を、二次元コードにエンコードしてもよく、さらに電子タグに書き込んでもよい。
【００４２】
［シーケンス図］
図６は、第１実施形態の入出場処理装置２００による処理の一例を示すシーケンス図である。まず、読取制御部２１６は、接近センサの出力によって物体が光学式リーダ２１０に接近したことを検知すると、光学式リーダ２１０に対して、二次元コードの読み取りを実行するよう指示する（ステップＳ１）。これを受けて、光学式リーダ２１０は、所定時間の間、照明を点灯させ、乗車券読取窓２０２に翳された乗車券に対するスキャンを繰り返し実行する（ステップＳ２）。但し、読取が完了したら停止してよい。光学式リーダ２１０は、乗車券の二次元コードを撮像した画像データに基づいて電子情報を取得し（ステップＳ３）、電子情報を読取制御部２１６に出力する（ステップＳ４）。読取制御部２１６は、入力した電子情報を入出場処理部２４２に転送する（ステップＳ５）。
【００４３】
例えば、乗車券読取窓２０２には二枚の乗車券が重ねて翳される。光学式リーダ２１０は、乗車券読取窓２０２と対向する一の乗車券の二次元コードを撮像する。一方、この一の乗車券と重なっていることにより乗車券読取窓２０２と二次元コードとが対向していない他の乗車券は、光学式リーダ２１０よりに二次元コードが撮像できない状態である。従って、光学式リーダ２１０が撮像する二次元コードは、一の乗車券に印刷されている二次元コードである。なお、二次元コードが読み取られる乗車券は、第１チケットでもよく、第２チケットでもよい。
【００４４】
入出場処理部２４２は、例えば、入力する電子情報の中から、ＥＰＣコードを取得する（ステップＳ６）。また、入出場処理部２４２は、ＩＣカード通信制御部２２０に対してＩＣカードに読取処理を停止するよう指示する（ステップＳ７）。これにより、ＩＣカード読取面に非接触ＩＣカードが翳されたとしても、入出場処理装置２００は、ＩＣカードからの情報の読み取り処理を実行しないようにすることができる。
【００４５】
次いで、入出場処理部２４２は、ステップＳ６においてＥＰＣコードに基づいて、ＥＰＣコードが割り当てらえている電子タグに格納されている情報を読み取るよう、読取制御部２１６に指示する（ステップＳ８）。そして、読取制御部２１６は、入出場処理部２４２の指示に従ってリーダライタ２１２を制御し（ステップＳ９）、リーダライタ２１２が、ＥＰＣコードが割り当てられている電子タグにアクセスする（ステップＳ１０）。なお、二枚の乗車券が重ねて翳された場合であっても、リーダライタ２１２は、それぞれの乗車券の電子タグにアクセス可能である。
【００４６】
そして、リーダライタ２１２は、アクセスした電子タグから情報を読み取り（ステップＳ１１）、読取制御部２１６に出力する（ステップＳ１２）。読取制御部２１６は、入力された情報を入出場処理部２４２に転送する（ステップＳ１３）。
【００４７】
入出場処理部２４２は、入力する情報に基づいて、入出場処理を実行する（ステップＳ１４）。また入出場処理部２４２は、必要に応じて利用情報を生成する（ステップＳ１５）。例えば、入出場処理部２４２は、入場駅において、入場した駅や入場時刻を示す情報を含む利用情報を生成する。入出場処理部２４２は、利用情報を生成した場合、ＥＰＣコードを指定して対応する電子タグに利用情報を書き込むよう、読取制御部２１６に指示する（ステップＳ１６）。そして、読取制御部２１６は、入出場処理部２４２の指示に従ってリーダライタ２１２を制御し（ステップＳ１７）、リーダライタ２１２が、指定されたＥＰＣコードが割り当てられている電子タグにアクセスする（ステップＳ１８）。
【００４８】
そして、リーダライタ２１２は、アクセスした電子タグに対して利用情報を書き込み、書き込み処理が実行されたことを示すレスポンスを受信する（ステップＳ１９）。リーダライタ２１２は、レスポンスを受信したことを示す情報を読取制御部２１６に出力し（ステップＳ２０）、読取制御部２１６は、入力された情報を入出場処理部２４２に転送する（ステップＳ２１）。
【００４９】
図７は、本実施形態に係るＥＰＣコードの取得方法（その１）を説明するための参考図である。ＥＰＣコードの取得方法（その１）は、第１チケットのＥＰＣコードを第１チケットに印刷されている二次元コードから取得し、第２チケットのＥＰＣコードを第１チケットの電子タグから読み取る方法である。以下、第１チケットの電子タグに割り当てられているＥＰＣコードをＡＡ、第２チケットの電子タグに割り当てられているＥＰＣコードをＢＢとする。
【００５０】
例えば、第１チケットＪ１１の効力情報は、電子タグＴ１１に格納され、第２チケットＪ１２の効力情報は、電子タグＴ１２に格納されている。また、電子タグＴ１１のＥＰＣコード（ＡＡ）は、第２チケットＪ１２の電子タグＴ１２に格納され、電子タグＴ１２のＥＰＣコード（ＢＢ）は、第１チケットＪ１１の電子タグＴ１１に格納されている。第１チケットＪ１１には、電子タグＴ１１のＥＰＣコード（ＡＡ）がエンコードされた二次元コードＣ１１が印刷されている。第２チケットＪ１２には、電子タグＴ１２のＥＰＣコード（ＢＢ）がエンコードされた二次元コードＣ１２が印刷されているが、なくてもよい。
【００５１】
次に、第１チケットＪ１１の電子タグＴ１１と第２チケットＪ１２の電子タグＴ１２にアクセスする順番の一例について説明する。乗車券読取窓２０２に対して、例えば、第１チケットＪ１１が下、第２チケットＪ１２が上で重ねられた状態で翳される。こうすることにより、入出場処理装置２００は、第１チケットＪ１１の二次元コードＣ１１を読み取り、二次元コードＣ１１からＥＰＣコード（ＡＡ）を取得する（１）。次いで、入出場処理装置２００は、取得したＥＰＣコード（ＡＡ）に基づいて、ＥＰＣコード（ＡＡ）が割り当てられた電子タグＴ１１にアクセスする（２）。そして、入出場処理装置２００は、電子タグＴ１１に格納されているＥＰＣコード（ＢＢ）を取得する（３）。次いで、入出場処理装置２００は、取得したＥＰＣコード（ＢＢ）に基づいて、ＥＰＣコード（ＢＢ）が割り当てられた電子タグＴ１２にアクセスする（４）。
【００５２】
なお、第２チケットＪ１２が下、第１チケットＪ１１が上で重ねられた状態で乗車券読取窓２０２に翳された場合、上述したような処理と同様にして各電子タグＴ１１，Ｔ１２にアクセスすることが可能である。つまり、入出場処理装置２００は、第２チケットＪ１２の二次元コードＣ１２を読み取り、二次元コードＣ１２からＥＰＣコード（ＢＢ）を取得する。次いで、入出場処理装置２００は、取得したＥＰＣコード（ＢＢ）に基づいて、ＥＰＣコード（ＢＢ）が割り当てられた電子タグＴ１２にアクセスする。そして、入出場処理装置２００は、電子タグＴ１２に格納されているＥＰＣコード（ＡＡ）を取得する。次いで、入出場処理装置２００は、取得したＥＰＣコード（ＡＡ）に基づいて、ＥＰＣコード（ＡＡ）が割り当てられた電子タグＴ１１にアクセスする。
【００５３】
［発券機による処理のフローチャート］
図８は、第１実施形態の発券機１００による処理の一例を示すフローチャートである。まず、発券部１７０は、操作部１１０を用いて利用者より、セット券の販売が指示されたか否かを判定する（ステップＳ１０１）。セット券とは、二枚の乗車券を併用して入出場を行う乗車券のことである。セット券の販売が指示されるまで、発券部１７０は、ステップＳ１０１の処理を繰り返す。セット券の販売が指示されたと判定した場合、発券部１７０は、第１チケットＪ１１がチケット投入部１２２から投入されたか否かを判定する（ステップＳ１０３）。例えば、発券部１７０は、チケット投入部１２２に設けられているセンサによる検出結果に基づいて、第１チケットＪ１１が投入されたか否かを判定する。第１チケットＪ１１が投入されたと判定した場合、発券部１７０は、駆動部１５０を制御し、撮像位置Ｐ３を通過するように第１チケットＪ１１を搬送させる。そして、発券部１７０は、撮像部１５６を制御し、撮像位置Ｐ３を通過する第１チケットＪ１１の二次元コードＣ１１を撮像させる。発券部１７０は、撮像部１５６により得られた画像データを解析し、二次元コードＣ１１にエンコードされているＥＰＣコード（ＡＡ）を取得する（ステップＳ１０５）。また発券部１７０は、取得したＥＰＣコード（ＡＡ）を、記憶部１７２に一時的に格納させる。
【００５４】
次いで、発券部１７０は、第２チケットＪ１２のＥＰＣコード（ＢＢ）を生成する（ステップＳ１０７）。発券部１７０は、駆動部１５０を制御し、書込位置Ｐ４を通過するように第１チケットＪ１１を搬送させる。そして、発券部１７０は、書込部１５８を制御し、書込位置Ｐ４を通過する第１チケットＪ１１の電子タグＴ１１に、ステップＳ１０７において生成されたＥＰＣコード（ＢＢ）を書き込ませる（ステップＳ１０９）。そして、発券部１７０は、駆動部１５０を制御し、第１チケットＪ１１をチケット排出部１２０から外に排出させる。
【００５５】
次いで、発券部１７０は、ステップＳ１０７において生成されたＥＰＣコード（ＢＢ）をエンコードして二次元コードを生成する（ステップＳ１１１）。発券部１７０は、駆動部１５０を制御し、第２チケットＪ１２となる乗車券を乗車券ボックス１４２から取り出し、印刷位置Ｐ２まで搬送させる。発券部１７０は、印刷部１５４を制御し、印刷位置Ｐ２を通過する第２チケットＪ１２に対して、ステップＳ１１１において生成された二次元コードを印刷させる（ステップＳ１１３）。発券部１７０は、操作部１１０を用いて利用者により指定された情報に基づいて、第２チケットＪ１２の効力情報を生成する（ステップＳ１１５）。そして、発券部１７０は、駆動部１５０を制御し、書込位置Ｐ４を通過するように第２チケットＪ１２を搬送させる。発券部１７０は、書込部１５８を制御し、書込位置Ｐ４を通過する第２チケットＪ１２の電子タグＴ１２にアクセスし、第１チケットＪ１１のＥＰＣコード（ＡＡ）と第２チケットＪ１２の効力情報を書き込む（ステップＳ１１７）。
【００５６】
［入出場処理装置による処理のフローチャート］
図９は、第１実施形態の入出場処理装置２００による処理の一例を示すフローチャートである。なお、以下の処理において、入出場処理部２４２が読取制御部２１６を制御して実行される処理については、読取制御部２１６による処理の説明を省略し、入出場処理部２４２が実行する処理として説明する。
【００５７】
まず、読取制御部２１６は、光学式リーダ２１０からの出力に基づいて、二次元コードを認識したか否かを判定する（ステップＳ２０１）。二次元コードを認識したと判定した場合、読取制御部２１６は、光学式リーダ２１０が撮像した画像データを、入出場処理部２４２に出力する。入出場処理部２４２は、入力された画像データを解析し、二次元コードにエンコードされている情報を取得する（ステップＳ２０３）。次いで、入出場処理部２４２は、ステップＳ２０３において取得された情報に含まれるＥＰＣコードが、一つであるか否かを判定する（ステップＳ２０５）。ＥＰＣコードが一つでない場合、入出場処理部２４２は処理を終了する。
【００５８】
ＥＰＣコードが一つである場合、入出場処理部２４２は、取得したＥＰＣコードを第１チケットのＩＤに決定する（ステップＳ２０７）。そして、ステップＳ２０７において第１チケットのＩＤに決定したＥＰＣコードを用いて、ＥＰＣコードが割り当てられている電子タグにアクセスし、効力情報等を読み取る（ステップＳ２０９）。また、入出場処理部２４２は、ステップＳ２０９においてアクセスした電子タグからＥＰＣコードを読み取ったか否かを判定する（ステップＳ２１１）。ＥＰＣコードを読み取っていないと判定した場合、入出場処理部２４２は、エラーと判定し（ステップＳ２１３）、処理を終了する。
【００５９】
一方、ステップＳ２１１において、ＥＰＣコードを読み取ったと判定した場合、入出場処理部２４２は、読み取ったＥＰＣコードを第２チケットのＩＤに決定する（ステップＳ２１５）。次いで、入出場処理部２４２は、ステップＳ２１５において第２チケットのＩＤに決定されたＥＰＣコードが割り当てられている電子タグにアクセスし、効力情報等を読み出す（ステップＳ２１７）。そして、入出場処理部２４２は、ステップＳ２０９において取得された第１チケットの効力情報等と、ステップＳ２１７において取得された第２チケットの効力情報等とに基づいて、入出場処理を実行する（ステップＳ２１９）。
【００６０】
次いで、入出場処理部２４２は、ステップＳ２１９の入出場処理において利用情報が生成されたか否かを判定する（ステップＳ２２１）。利用情報が生成されている場合、入出場処理部２４２は、第１チケットあるいは第２チケットの電子タグにアクセスして、利用情報を書き込む（ステップＳ２２３）。例えば、入出場処理部２４２は、各チケットから取得された効力情報に基づいて、利用情報を書き込むチケットを決定する。そして、入出場処理部２４２は、アクセスした電子タグから情報の書き込みが完了したことを示すレスポンスを受信したか否かを判定する（ステップＳ２２５）。レスポンスを受信したと判定した場合、入出場処理部２４２は、処理を終了する。
【００６１】
こうすることにより、既に第１チケットを発券している場合であっても、第１チケットを用いてセット券を発券することができる。
【００６２】
［第２実施形態］
以下、第２実施形態について説明する。なお、第２実施形態は、第１実施形態の発券機１００や入出場処理装置２００を利用して実現することが可能であり、以下、同一の符号を用いて説明する。これに限られず、第２実施形態は、発券機１００や入出場処理装置２００の一部構成を両略した装置により実現されてもよい。
【００６３】
図１０は、本実施形態に係るＥＰＣコードの取得方法（その２）を説明するための参考図である。ＥＰＣコードの取得方法（その２）は、第１チケットのＥＰＣコードと第２チケットのＥＰＣコードの両方をエンコードした二次元コードを、第１チケットおよび第２チケットの両方に印刷しておき、いずれかのチケットの二次元コードから両チケットのＥＰＣコードを取得する方法である。
【００６４】
例えば、第１チケットＪ２１の効力情報は、電子タグＴ２１に格納され、第２チケットＪ２２の効力情報は、電子タグＴ２２に格納されている。第１チケットＪ２１には、電子タグＴ２１のＥＰＣコード（ＡＡ）と電子タグＴ２１のＥＰＣコード（ＢＢ）とがエンコードされた二次元コードＣ２１が印刷されている。第２チケットＪ２２にも、二次元コードＣ２１と同じ二次元コードＣ２２が印刷されているが、なくてもよい。
【００６５】
次に、第１チケットＪ２１の電子タグＴ２１と第２チケットＪ２２の電子タグＴ２２にアクセスする順番の一例について説明する。乗車券読取窓２０２に対して、例えば、第１チケットＪ２１が下、第２チケットＪ２２が上で重ねられた状態で翳される。こうすることにより、入出場処理装置２００は、第１チケットＪ２１の二次元コードＣ２１を読み取り、二次元コードＣ２１からＥＰＣコード（ＡＡ）とＥＰＣコード（ＢＢ）とを取得する（１）。次いで、入出場処理装置２００は、取得したＥＰＣコード（ＡＡ）に基づいて、ＥＰＣコード（ＡＡ）が割り当てられた電子タグＴ２１にアクセスする（２）。また、入出場処理装置２００は、取得したＥＰＣコード（ＢＢ）に基づいて、ＥＰＣコード（ＢＢ）が割り当てられた電子タグＴ２２にアクセスする（３）。
【００６６】
なお、第２チケットＪ２２が下、第１チケットＪ２１が上で重ねられた状態で翳された場合も、入出場処理装置２００は、第２チケットＪ２２の二次元コードＣ２２からＥＰＣコード（ＡＡ）とＥＰＣコード（ＢＢ）とを取得することが可能である。従って、入出場処理装置２００は、上述したような処理と同様にして各電子タグＴ２１，Ｔ２２にアクセスすることが可能である。
【００６７】
［発券機による処理のフローチャート］
図１１は、第２実施形態の発券機１００による処理の一例を示すフローチャートである。まず、発券部１７０は、操作部１１０を用いて利用者より、セット券の販売が指示されたか否かを判定する（ステップＳ１３１）。セット券の販売が指示されるまで、発券部１７０は、ステップＳ１３１の処理を繰り返す。セット券の販売が指示されたと判定した場合、発券部１７０は、第１チケットＪ２１のＥＰＣコード（ＡＡ）を生成するとともに（ステップＳ１３３）、第２チケットＪ２２のＥＰＣコード（ＢＢ）を生成する（ステップＳ１３５）。そして、発券部１７０は、ステップＳ１３３において生成されたＥＰＣコード（ＡＡ）とステップＳ１３５において生成されたＥＰＣコード（ＢＢ）とをエンコードして二次元コードを生成し、記憶部１７２に格納しておく（ステップＳ１３７）。
【００６８】
次いで発券部１７０は、駆動部１５０を制御し、第１チケットＪ２１となる乗車券を乗車券ボックス１４２から取り出し、印刷位置Ｐ２まで搬送させる。発券部１７０は、印刷部１５４を制御し、印刷位置Ｐ２を通過する第１チケットＪ２１に対して、ステップＳ１３５において生成された二次元コードを印刷させる（ステップＳ１３９）。また発券部１７０は、操作部１１０を用いて利用者により指定された情報に基づいて、第１チケットＪ２１の効力情報を生成する（ステップＳ１４１）。そして、発券部１７０は、駆動部１５０を制御し、書込位置Ｐ４を通過するように第１チケットＪ２１を搬送させる。発券部１７０は、書込部１５８を制御し、書込位置Ｐ４を通過する第１チケットＪ２１の電子タグＴ２１にアクセスし、第１チケットＪ２１の効力情報を書き込む（ステップＳ１４３）。
【００６９】
同様にして、発券部１７０は、駆動部１５０を制御し、第２チケットＪ２２となる乗車券を乗車券ボックス１４２から取り出し、印刷位置Ｐ２まで搬送させる。発券部１７０は、印刷部１５４を制御し、印刷位置Ｐ２を通過する第２チケットＪ２２に対して、ステップＳ１３５において生成された二次元コードを印刷させる（ステップＳ１４５）。また発券部１７０は、操作部１１０を用いて利用者により指定された情報に基づいて、第２チケットＪ２２の効力情報を生成する（ステップＳ１４７）。そして、発券部１７０は、駆動部１５０を制御し、書込位置Ｐ４を通過するように第２チケットＪ２２を搬送させる。発券部１７０は、書込部１５８を制御し、書込位置Ｐ４を通過する第２チケットＪ２２の電子タグＴ２２にアクセスし、第２チケットＪ２２の効力情報を書き込む（ステップＳ１４９）。
【００７０】
［入出場処理装置による処理のフローチャート］
図１２は、第２実施形態の入出場処理装置２００による処理の一例を示すフローチャートである。なお、第１実施形態の入出場処理装置２００による処理と異なる点について説明し、同一の点については同一の符号を付して詳細な説明は省略する。
【００７１】
入出場処理部２４２は、ステップＳ２０３において取得された情報に含まれるＥＰＣコードが、二つであるか否かを判定する（ステップＳ２０４）。ＥＰＣコードが二つでない場合、入出場処理部２４２は処理を終了する。
【００７２】
ＥＰＣコードが二つである場合、入出場処理部２４２は、一方のＥＰＣコードを第１チケットのＩＤに決定し、他方のＥＰＣコードを第２チケットのＩＤに決定する（ステップＳ２０６）。そして入出場処理部２４２は、ステップＳ２０６において第１チケットのＩＤに決定されたＥＰＣコードを用いて、ＥＰＣコードが割り当てられている電子タグにアクセスして効力情報等を読み取り、第１チケットの効力情報に決定する（ステップＳ２０８）。また入出場処理部２４２は、ステップＳ２０６において第２チケットのＩＤに決定されたＥＰＣコードを用いて、ＥＰＣコードが割り当てられている電子タグにアクセスして効力情報等を読み取り、第２チケットの効力情報に決定する（ステップＳ２１０）。
【００７３】
こうすることにより、ＥＰＣコードを二次元コードにエンコードしておけるため、乗車券の電子タグにＥＰＣコードの記憶容量を確保しなくてすむため、電子タグの記憶容量を制限せず、有効に活用することができる。
【００７４】
［第３実施形態］
以下、第３実施形態について説明する。なお、第３実施形態は、第１実施形態の発券機１００や入出場処理装置２００を利用して実現することが可能であり、以下、同一の符号を用いて説明する。これに限られず、第３実施形態は、発券機１００や入出場処理装置２００の一部構成を両略した装置により実現されてもよい。
【００７５】
図１３は、本実施形態に係るＥＰＣコードの取得方法（その３）の一例を説明するための参考図である。ＥＰＣコードの取得方法（その３）は、上述のＥＰＣコードの取得方法（その１）とＥＰＣコードの取得方法（その２）の両方に対応可能な方法である。ここでは、第１実施形態で説明した第１チケットＪ１１と、第２実施形態で説明した第２チケットＪ２２を用いて例について説明する。なおこれに限られず、第１実施形態で説明したチケットの組み合わせ、あるいは第２実施形態で説明したチケットの組み合わせで利用されてもよい。
【００７６】
例えば、乗車券読取窓２０２に対して、例えば、第１チケットＪ１１が下、第２チケットＪ２２が上で重ねられた状態で翳された場合、入出場処理装置２００は、第１実施形態で説明した順序で各電子タグＴ１１，Ｔ２２にアクセスする。一方、乗車券読取窓２０２に対して、例えば、第２チケットＪ２２が下、第１チケットＪ１１が上で重ねられた状態で翳された場合、入出場処理装置２００は、第２実施形態で説明した順序で各電子タグＴ１１，Ｔ２２にアクセスする。
【００７７】
［発券機による処理のフローチャート］
図１４は、第３実施形態の発券機１００による処理の一例を示すフローチャートである。なお、第１実施形態の発券機１００による処理と異なる点について説明し、同一の点については同一の符号を付して詳細な説明は省略する。
【００７８】
発券部１７０は、ステップＳ１０５において取得されたＥＰＣコード（ＡＡ）とステップＳ１０７において生成されたＥＰＣコード（ＢＢ）とをエンコードして二次元コードを生成する（ステップＳ１０８）。そして、発券部１７０は、駆動部１５０を制御し、第２チケットＪ２２となる乗車券を乗車券ボックス１４２から取り出し、印刷位置Ｐ２まで搬送させる。発券部１７０は、印刷部１５４を制御し、印刷位置Ｐ２を通過する第２チケットＪ２２に対して、ステップＳ１０８において生成された二次元コードを印刷させる（ステップＳ１１３）。
【００７９】
発券部１７０は、操作部１１０を用いて利用者により指定された情報に基づいて、第２チケットＪ２２の効力情報を生成する（ステップＳ１１５）。そして、発券部１７０は、駆動部１５０を制御し、書込位置Ｐ４を通過するように第２チケットＪ２２を搬送させる。発券部１７０は、書込部１５８を制御し、書込位置Ｐ４を通過する第２チケットＪ２２の電子タグＴ２２にアクセスし、第２チケットＪ２２の効力情報を書き込む（ステップＳ１１６）。
【００８０】
［入出場処理装置による処理のフローチャート］
図１５は、第３実施形態の入出場処理装置２００による処理の一例を示すフローチャートである。なお、第１実施形態の入出場処理装置２００による処理と異なる点について説明し、同一の点については同一の符号を付して詳細な説明は省略する。
【００８１】
ステップＳ２０４において、乗車券から読み取った二次元コードに二つのＥＰＣコードがエンコードされていた場合、入出場処理部２４２は、ＥＰＣコードの取得方法（その２）を選択する。一方、ステップＳ２０５において、乗車券から読み取った二次元コードに一つのＥＰＣコードがエンコードされていた場合、入出場処理部２４２は、ＥＰＣコードの取得方法（その１）を選択する。
【００８２】
こうすることにより、発券機１００や入出場処理装置２００を取り扱う事業者や環境に応じて、第１実施形態と第２実施形態とを同時に採用したり、両実施形態を組み合わせたりすることが可能となる、事業内容の自由度が増す。
【００８３】
以上説明した少なくとも一つの実施形態によれば、二次元コードを用いたチケットの利便性を向上させることができる。
【００８４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００８５】
例えば、上述した第１〜３実施形態の一部は、任意に組み合わせが可能である。
【符号の説明】
【００８６】
１００…発券機、１１０…操作部、１２０…チケット排出部、１２２…チケット投入部、１３０…通信部、１４０…搬送ベルト、１４２…乗車券ボックス、１５０…駆動部、１５２…読取部、１５４…印刷部、１５６…撮像部、１５８…書込部、１７０…発券部、１７２…記憶部、２００…入出場処理装置、２０２…乗車券読取窓、２０４…ＩＣカード読取窓、２１０…光学式リーダ、２１２…リーダライタ、２１４…出力部、２１６…読取制御部、２２０…ＩＣカード通信制御部、２３０…各種デバイス制御部、２４０…主制御部、２４２…入出場処理部、２４４…記憶部
【図１】
2020008895.tif 000003
【図２】
2020008895.tif 000004
【図３】
2020008895.tif 000005
【図４】
2020008895.tif 000006
【図５】
2020008895.tif 000007
【図６】
2020008895.tif 000008
【図７】
2020008895.tif 000009
【図８】
2020008895.tif 000010
【図９】
2020008895.tif 000011
【図１０】
2020008895.tif 000012
【図１１】
2020008895.tif 000013
【図１２】
2020008895.tif 000014
【図１３】
2020008895.tif 000015
【図１４】
2020008895.tif 000016
【図１５】
2020008895.tif 000017